(57)【要約】【課題】ステープラー針抜取り手段を左右方向に抉じることによりステープラー針を確実に抜き取ることができ、かつ、抜き取ったステープラー針を飛散させることなく保持するようにしたステープラー針抜取り手段を提供する。【解決手段】支持体２１には、下側爪片２３と、該下側爪片の上方に配設した上側爪片２５と、該上側爪片の上面又は該上側爪片の近傍に対し着脱自在に配設した永久磁石２７とを備えさせ、該上側爪片の幅は下側爪片の幅よりも大きいことを特徴とするステープラー針抜取り手段。【選択図】図１
0003127846.tif 000002
【実用新案登録請求の範囲】
【請求項１】
支持体には、下側爪片と、該下側爪片の上方に配設した上側爪片と、該上側爪片の上面又は該上側爪片の近傍に対し着脱自在に配設した永久磁石とを備えさせ、該上側爪片の幅は下側爪片の幅よりも大きいことを特徴とするステープラー針抜取り手段。
【請求項２】
前記永久磁石は紐体を介して支持体に取り付けられることを特徴とする請求項１に記載のステープラー針抜取り手段。
【請求項３】
前記永久磁石は帯状体を介して支持体に取り付けられる請求項１に記載のステープラー針抜取り手段。
【請求項４】
前記永久磁石は板ばねを介して支持体に取り付けられ、該板ばねは常時永久磁石を上側爪片の上面又は該上側爪片の近傍に近接させる傾向を有することを特徴とする請求項１に記載のステープラー針抜取り手段。
【請求項５】
前記永久磁石は支持体に形成された溝に沿って上側爪片の上面又は該上側爪片の近傍に接離することを特徴とする請求項１に記載のステープラー針抜取り手段。
【請求項６】
前記永久磁石は支持体に上下方向に回動自在に取り付けられた支持杆により保持されることを特徴とする請求項１に記載のステープラー針抜取り手段。
【請求項７】
前記永久磁石は支持体に水平方向に回動自在に取り付けられた支持杆により保持されることを特徴とする請求項１に記載のステープラー針抜取り手段。
【請求項８】
前記支持体はステープラーであることを特徴とする請求項１〜７のいずれかに記載のステープラー針抜取り手段。
【考案の詳細な説明】
【技術分野】
【０００１】
本考案は、ステープラー針抜取り去手段に関するものであり、更に詳しくは、打ち込まれたステープラー針（ステープル）を抜き取るためのステープラー針抜取り手段（ステープラー針抜取り装置）に係るものである。
【背景技術】
【０００２】
実用新案登録第３０３５８５８号公報は、中央に切欠部（１）を備えた針起こし（３）の上方中央に針押さえ（５）を配設してなるステープラー針抜取り手段（以下「従来のステープラー針抜取り手段」という。）を開示している。図１２参照。
【特許文献１】実用新案登録第３０３５８５８号公報
【考案の開示】
【考案が解決しようとする課題】
【０００３】
ステープラー針（７）は、中央部（７ａ）の両端を直角に折曲して一対の脚部（７ｂ）、（７ｂ）を形成してなるコ字状体である。図１０〜図１２参照。
【０００４】
従来のステープラー針抜取り手段においては、針起こし（３）の上方中央に針押さえ（５）を配設しているものの、該針押さえ（５）の幅が針起こし（３）の幅よりも遥かに小さいため、打ち込まれたステープラー針（７）における中央部（７ａ）の下側に針起こし（３）を挿入したときでも、ステープラー針抜取り手段を左右方向に抉る（こじる）ことによりステープラー針（７）を抜き取ることができない。けだし、針起こし（３）の上方中央に配設されている針押さえ（５）は、幅が針起こし（３）の幅よりも遥かに小さいため、図１２に示すように、ステープラー針抜取り手段を左右方向に抉じようとしても、針押さえ（５）がステープラー針（７）の中央部（７ａ）を押下することができないからである。
【０００５】
従来のステープラー針抜取り手段においては、仮に針起こし（３）の切欠部（１）にステープラー針（７）の脚部（７ｂ）を挿入したとしても、ステープラー針抜取り手段を左右方向に抉じることによりステープラー針（７）を抜き取ることができない。
【０００６】
従来のステープラー針抜取り手段においては、特に、障害物（２８）の近傍に打ち込まれたステープラー針を抜き取る作業が困難である。図１４参照。
【０００７】
また、従来のステープラー針抜取り手段は、抜き取ったステープラー針を保持する手段を有しないため、抜き取ったステープラー針が飛散する。例えば、建物内における壁面に打ち込んだステープラー針を抜き取ったときには、ステープラー針が床面に散乱することになる。散乱したステープラー針を回収する作業は面倒である。
【０００８】
本考案は、従来のステープラー針抜取り手段における上述の如き問題を解決し、ステープラー針抜取り手段を左右方向に抉じることによりステープラー針を確実に抜き取ることができ、かつ、抜き取ったステープラー針を飛散させることなく保持するようにしたステープラー針抜取り手段を提供しようとしてなされたものである。
【課題を解決するための手段】
【０００９】
上記課題を解決するために、本考案は、下記のステープラー針抜取り手段を提供する。
【００１０】
（１）支持体には、下側爪片と、該下側爪片の上方に配設した上側爪片と、該上側爪片の上面又は該上側爪片の近傍に対し着脱自在（接離自在）に配設した永久磁石とを備えさせ、該上側爪片の幅は下側爪片の幅よりも大きいことを特徴とするステープラー針抜取り手段（請求項１）。
【００１１】
（２）前記永久磁石は紐体を介して支持体に取り付けられる（請求項２）。
【００１２】
（３）前記永久磁石は帯状体を介して支持体に取り付けられる（請求項３）。
【００１３】
（４）前記永久磁石は板ばねを介して支持体に取り付けられ、該板ばねは常時永久磁石を上側爪片の上面又は該上側爪片の近傍に近接させる傾向を有する（請求項４）。
【００１４】
（５）前記永久磁石は支持体に形成された溝に沿って上側爪片の上面又は該上側爪片の近傍に接離する（請求項５）。
【００１５】
（６）前記永久磁石は支持体に上下方向に回動自在に取り付けられた支持杆により保持される（請求項６）。
【００１６】
（７）前記永久磁石は支持体に水平方向に回動自在に取り付けられた支持杆により保持される（請求項７）。
【００１７】
（８）前記支持体はステープラーである（請求項８）。
【考案の効果】
【００１８】
［請求項１の考案］
打ち込まれたステープラー針（７）における中央部（７ａ）の下側にステープラー針抜取り手段の下側爪片（２３）を挿入し、該中央部（７ａ）を下側爪片（２３）と上側爪片（２５）とにより挟持した状態で、支持体を左右方向に抉じることによりステープラー針を容易に抜き取ることができる。図１０、図１１参照。
【００１９】
即ち、上述の如く支持体を左右方向のいずれか一方向に抉じたときには、図１１に示すように、下側爪片（２３）の上面一縁（２３ａ）がステープラー針（７）の中央部（７ａ）下面を押し上げると同時に、上側爪片（２５）の下面部（２５ａ）がステープラー針（７）の中央部（７ａ）の一縁を押下する。換言すれば、打ち込まれているステープラー針は、一方の脚部（７ｂ）が抜き取られる方向に強力に回動する。
【００２０】
また、支持体を左右方向の他方向に抉じたときには、ステープラー針は、他方の脚部（７ｂ）が抜き取られる方向に強力に回動する。
【００２１】
以上述べたように、支持体を左右方向に抉じることによりステープラー針を強制的に抜き取ることができる。
【００２２】
従って、例えば障害物（２８）の近傍に打ち込まれたステープラー針を抜き取る作業も容易である。図１４参照。
【００２３】
また、ステープラー針抜取り手段は、永久磁石を上側爪片の上面又は該上側爪片の近傍に対し着脱自在に配設しているため、該永久磁石は抜き取ったステープラー針を飛散させることなく吸着保持する。
【００２４】
永久磁石に吸着されたステープラー針は、該永久磁石を上側爪片の上面又は該上側爪片の近傍から取り外した後、該永久磁石から除去することができる。
【００２５】
永久磁石は抜き取ったステープラー針を飛散させることなく吸着保持するため、垂直の壁面に打ち込まれたステープラー針を抜き取る際にも、抜き取ったステープラー針が床面等に落下するおそれはない。
【００２６】
特に、図１３に示すように、垂直の壁面（３０）に打ち込まれたステープラー針を上方から抜き取るときでも、抜き取ったステープラー針が床面等に落下するおそれはない。
【００２７】
［請求項２の考案］
永久磁石は紐体を介して支持体に取り付けられているため、上側爪片の上面又は該上側爪片の近傍に対する永久磁石の着脱が容易であると共に、永久磁石を紛失するおそれもない。その他の点においては、請求項２の考案は、前記請求項１の考案と同様の効果を発揮する。
【００２８】
［請求項３の考案］
永久磁石は帯状体を介して支持体に取り付けられているため、永久磁石を上側爪片の上面又は該上側爪片の近傍に取り付ける際に左右方向に横ぶれするおそれがない。その他の点においては、請求項３の考案は、前記請求項１、２の考案と同様の効果を発揮する。
【００２９】
［請求項４の考案］
永久磁石は板ばねを介して支持体に取り付けられ、該板ばねは常時永久磁石を上側爪片の上面又は該上側爪片の近傍に近接させる傾向を有するため、永久磁石は常時上側爪片の上面又は該上側爪片の近傍に位置する。永久磁石に吸着されたステープラー針を除去する際には、板ばねの力に抗して永久磁石を上側爪片の上面又は該上側爪片の近傍から離すことができる。その他の点においては、請求項４の考案は、前記請求項１、２の考案と同様の効果を発揮する。
【００３０】
［請求項５の考案］
永久磁石は支持体に形成された溝に沿って上側爪片の上面又は該上側爪片の近傍に対し接離するため、永久磁石を上側爪片の上面又は該上側爪片の近傍に確実に位置させることができる。その他の点においては、請求項５の考案は、前記請求項１、２の考案と同様の効果を発揮する。
【００３１】
［請求項６の考案］
永久磁石は支持体に上下方向に回動自在に取り付けられた支持杆により保持されるため、永久磁石は上側爪片の上面又は該上側爪片の近傍に対し確実に接離する。その他の点においては、請求項６の考案は、前記請求項１、２の考案と同様の効果を発揮する。
【００３２】
［請求項７の考案］
永久磁石は支持体に水平方向に回動自在に取り付けられた支持杆により保持されるため、永久磁石は上側爪片の上面又は該上側爪片の近傍に対し確実に接離する。その他の点においては、請求項７の考案は、前記請求項１、２の考案と同様の効果を発揮する。
【００３３】
［請求項８の考案］
請求項８の考案は、ステープラーに下側爪片と、上側爪片と、永久磁石とを備えさせたものであり、上記請求項１〜７の考案と同様の効果を発揮する。
【考案を実施するための最良の形態】
【００３４】
符号２１に示すものはステープラー針抜取り手段の支持体である。
【００３５】
図１〜図９及び図１３〜図１４における支持体２１は手で把持するに適した柄部である。
【００３６】
支持体２１には、下側爪片２３と、該下側爪片２３の上方に配設した上側爪片２５と、該上側爪片２５の上面又は該上側爪片２５の近傍に対し着脱自在（接離自在）に配設した永久磁石２７とを備えさせる。
【００３７】
上側爪片２５が永久磁石２７に吸着されないステンレス鋼等の材料により形成されている場合には、該上側爪片２５の上面に鉄片２９を固着し、該鉄片２９に永久磁石２７を吸着させる。
【００３８】
図３（平面図）に示すように、上側爪片２５の幅２５ｂは下側爪片２３の幅２３ｂよりも大きい。
【００３９】
図２に示す事例においては、永久磁石２７は紐体３１を介して支持体２１に取り付けられている。
【００４０】
図３に示す事例においては、永久磁石２７は帯状体３３を介して支持体２に取り付けられている。
【００４１】
図４に示す事例においては、永久磁石２７は板ばね３５を介して支持体に取り付けられ、該板ばね３５は常時永久磁石２７を上側爪片２５の上面又は該上側爪片２５の近傍に近接させる傾向を有する。
【００４２】
図５〜図７に示す事例においては、永久磁石２７は支持体２１に形成された溝３７に沿って上側爪片２５の上面又は該上側爪片２５の近傍に接離する。
【００４３】
図８に示す事例においては、永久磁石２７は支持体２１に上下方向に回動自在に取り付けられた支持杆３９により保持されている。
【００４４】
図９に示す事例においては、永久磁石２７は支持体２１に水平方向に回動自在に取り付けられた支持杆４１により保持されている。
【００４５】
図１５に示す支持体２１はステープラー（ホッチキス）である。図１５において、符号４３に示すものはステープラーのベースであり、符号４５に示すものはステープラー針７を収納するフレームであり、符号４７に示すものはハンドルである。
【図面の簡単な説明】
【００４６】
【図１】本考案によるステープラー針抜取り手段の一例を示す側面図である。
【図２】本考案によるステープラー針抜取り手段の別の一例を示す側面図である。
【図３】本考案によるステープラー針抜取り手段の更に別の一例を示す平面図である。
【図４】本考案によるステープラー針抜取り手段の更に別の一例を示す側面図である。
【図５】本考案によるステープラー針抜取り手段の更に別の一例を示す側面図である。
【図６】同上ステープラー針抜取り手段を示す平面図である。
【図７】支持体に形成された溝を示す断面図である。
【図８】本考案によるステープラー針抜取り手段の更に別の一例を示す側面図である。
【図９】本考案によるステープラー針抜取り手段の更に別の一例を示す平面図である。
【図１０】本考案によるステープラー針抜取り手段の使用状態を示す断面図である。
【図１１】本考案によるステープラー針抜取り手段の使用状態を示す別の断面図である。
【図１２】従来のステープラー針抜取り手段の使用状態を示す断面図である。
【図１３】本考案によるステープラー針抜取り手段の使用状態を示す更に別の断面図である。
【図１４】本考案によるステープラー針抜取り手段の使用状態を示す更に別の断面図である。
【図１５】本考案によるステープラー針抜取り手段の更に別の一例を示す側面図である。
【符号の説明】
【００４７】
１  切欠部
３  針起こし
５  針押さえ
７  ステープラー針
７ａ  中央部
７ｂ  脚部
２１  支持体
２３  下側爪片
２３ａ  上面一縁
２３ｂ  幅
２５  上側爪片
２５ａ  下面部
２５ｂ  幅
２７  永久磁石
２８  障害物
２９  鉄片
３０  壁面
３１  紐体
３３  帯状体
３５  板ばね
３７  溝
３９  支持杆
４１  支持杆
４３  ベース
４５  フレーム
４７  ハンドル
【図１】
0003127846.tif 000003
【図２】
0003127846.tif 000004
【図３】
0003127846.tif 000005
【図４】
0003127846.tif 000006
【図５】
0003127846.tif 000007
【図６】
0003127846.tif 000008
【図７】
0003127846.tif 000009
【図８】
0003127846.tif 000010
【図９】
0003127846.tif 000011
【図１０】
0003127846.tif 000012
【図１１】
0003127846.tif 000013
【図１２】
0003127846.tif 000014
【図１３】
0003127846.tif 000015
【図１４】
0003127846.tif 000016
【図１５】
0003127846.tif 000017